(57)【特許請求の範囲】
【請求項１】
画像を表示する表示手段と、
操作部材への操作に応じて、印刷条件を設定する設定手段と、
プリント対象の画像を設定された印刷条件でプリントするプリント手段と、
印刷条件を示すアイコンを前記表示手段に画像と共に表示させる表示制御手段とを有し、
前記表示制御手段は、複数の画像を並べて前記表示手段に表示させるマルチ表示のときは複数の画像と共に前記アイコンを表示させ、１つの画像を前記表示手段に表示させるシングル表示のときは、画像と共に前記アイコンを表示させることに加えて、前記アイコンが示す印刷条件を文字で表示することを特徴とするプリンタ。
【請求項２】
さらに、シングル表示とマルチ表示とを切替える切替手段を有し、
前記切替手段によりマルチ表示からシングル表示に切替えられたことに応じて、前記アイコンが示す印刷条件の文字を前記表示手段に表示させることを特徴とする請求項１に記載のプリンタ。
【請求項３】
さらに、シングル表示とマルチ表示とを切替える切替手段を有し、
前記切替手段によりシングル表示からマルチ表示に切替えられたことに応じて、前記アイコンが示す印刷条件の文字の表示が前記表示手段から消去されることを特徴とする請求項１または２に記載のプリンタ。
【請求項４】
前記設定手段は、画像毎に印刷条件を設定可能であり、
マルチ表示時には、画像毎に設定される印刷条件項目に対応する印刷条件アイコンは、画像毎に表示させ、画像毎に設定されない印刷条件項目に対応する印刷条件のアイコンは画像毎に表示せずに、それぞれの印刷条件項目ごとに１つずつ表示させることを特徴とする請求項１に記載のプリンタ。
【請求項５】
画像を表示するための表示手段を有するプリンタの制御方法であって、
操作部材への操作に応じて、印刷条件を設定する設定工程と、
プリント対象の画像を設定された印刷条件でプリントするプリント工程と、
前記設定工程で設定された印刷条件を示すアイコンを画像と共に前記表示手段に表示させる表示制御工程とを有し、
前記表示制御工程では、複数の画像を並べて表示させるマルチ表示のときは複数の画像と共に前記アイコンを表示させ、１つの画像を表示させるシングル表示のときは、画像と共に前記アイコンを表示させることに加えて、前記アイコンが示す印刷条件を文字で表示することを特徴とするプリンタの制御方法。
【請求項６】
シングル表示とマルチ表示とを切替える切替工程を有し、
マルチ表示からシングル表示に切替えられたことに応じて、前記アイコンが示す印刷条件の文字を表示させることを特徴とする請求項５に記載のプリンタの制御方法。
【請求項７】
シングル表示とマルチ表示とを切替える切替工程を有し、
シングル表示からマルチ表示に切替えられたことに応じて、前記アイコンが示す印刷条件の文字の表示が前記表示手段から消去されることを特徴とする請求項５または６に記載のプリンタの制御方法。
【請求項８】
前記設定工程では、画像毎に印刷条件を設定可能であり、
マルチ表示時には、画像毎に設定される印刷条件項目に対応する印刷条件アイコンは、画像毎に表示させ、画像毎に設定されない印刷条件項目に対応する印刷条件のアイコンは画像毎に表示せずに、それぞれの印刷条件項目ごとに１つずつ表示させることを特徴とする請求項５ないし７のいずれか１項に記載のプリンタの制御方法。
【請求項９】
請求項５ないし８のいずれか１項に記載のプリンタの制御方法をコンピュータに実行させるためのプログラム。
【請求項１０】
請求項９に記載のプログラムが記録されたコンピュータが読み取り可能な記憶媒体。
【発明の詳細な説明】
【技術分野】
【０００１】
本発明は、画像を表示するための表示手段を備えるプリンタに関するものである。
【背景技術】
【０００２】
従来のプリンタでは、メモリカード等の情報記録媒体を直接プリンタに装着し、メモリカードに記録されている画像を読み出してプリントするプリンタがある。また、メモリカードに予めプリント対象の画像を特定するための自動プリント情報を記録しておき、プリンタはその情報に基づいて自動的にプリントを行うシステムもある。また、このようなシステムにおいては、自動プリントが設定されている画像を表示するときに、画像に重ねてマークを表示することにより、どの画像がプリント対象として設定されているかを確認することが可能となっている（特許文献１参照）。
【特許文献１】特開平１１−００７７０１号公報
【発明の開示】
【発明が解決しようとする課題】
【０００３】
しかしながら、従来のプリンタにおいては、メモリカードに記録されている画像のうち、どの画像が印刷指定されているかということしか確認できない。そのため、プリントを開始する直前に印刷設定の確認画面を表示し内容を確認してからでないとプリントを開始することができない、という欠点があった。
【０００４】
上記問題に鑑み本発明では、ユーザにより設定された印刷条件に従い画像の印刷を行うプリンタにおいて、ユーザビリティーの向上を目的とする。
【課題を解決するための手段】
【０００５】
上記目的を達成するために、本発明のプリンタは、画像を表示する表示手段と、操作部材への操作に応じて、印刷条件を設定する設定手段と、プリント対象の画像を設定された印刷条件でプリントするプリント手段と、印刷条件を示すアイコンを表示手段に画像と共に表示させる表示制御手段とを有し、表示制御手段は、複数の画像を並べて表示手段に表させるマルチ表示のときは複数の画像と共にアイコンを表示させ、１つの画像を表示手段に表示させるシングル表示のときは、画像と共にアイコンを表示させることに加えて、アイコンが示す印刷条件を文字で表示することを特徴としている。
【発明の効果】
【０００６】
以上説明したように、本発明のプリンタによれば、画像表示中にユーザが設定した印刷条件の表示が可能である。印刷対象の画像の選択中に印刷条件設定の確認も同時に行えるため、ユーザビリティーが向上する。
【発明を実施するための最良の形態】
【０００７】
［第１の実施形態］
以下に、図面を参照して本発明を実施するための最良の形態について詳細に説明する。
【０００８】
尚、以下に説明する実施の形態は、本発明の実現手段としての一例であり、本発明は以下の実施の形態に限定されるものではない。
【０００９】
図１は、本発明に係る実施形態のプリンタの構成を示すブロック図である。本実施例のプリンタ１は、プリンタに装着されたメモリカード２、または、プリンタと接続されたホストコンピュータまたはデジタルカメラ３等から印刷対象の画像を取得して印刷することが可能である。
【００１０】
２はプリンタ１に装着されるメモリカードで、画像データが記録されている。メモリカード等の記録媒体をプリンタのカードスロットに装着して、メモリカードに記録されている画像データを印刷することができる。
【００１１】
１１は、プリンタ１全体を制御し、各種データ演算や処理を行うＣＰＵである。１２は、ＣＰＵ１１が演算や処理を行う際に各種データを格納したり、ワークスペーストして用いるＲＡＭ、１３はＣＰＵ１１で実行されるプログラムや各種データを予め格納しておくＲＯＭである。また、ＣＰＵ１１はＲＯＭ１３から必要なプログラムを読み出し、読み出したプログラムに基づいて各部の制御及び演算処理を行う。
【００１２】
１４はユーザインターフェースモジュールで、電源ボタンや画像送りボタンなどの操作キー等から構成される。ユーザにより操作キーを介して指示が入力されたことに応じて、その指示を受け付けて、ＣＰＵに伝える。ＣＰＵは、ユーザからの操作内容に応じて、各部の動作を制御する。
【００１３】
１５は、デジタルカメラやＰＣ等と有線若しくは無線の通信インターフェースを介して接続し、データの送受信を行うためのＩ／Ｏポート部である。
【００１４】
１６は、画像データを印刷するプリンタモジュールで、プリントヘッドや給排紙モータ、ヘッド、モータを制御するためのＩＣ等を備えている。
【００１５】
１７は表示モジュールで、ＬＣＤ、ＬＣＤドライバ、等から構成される。表示モジュール１７は、ＬＣＤにメモリカード２に記録されている画像を表示させたり、起動待機画面、印刷設定変更画面を表示させたりする。また、表示モジュール１７は、ユーザが不図示の操作キー等を操作したことに応じて、ＬＣＤの表示画面を変更したりする表示制御を行う。
【００１６】
１８は、メモリカード２にアクセスしてデータを取得するためのメモリカードインターフェースである。
【００１７】
１９は、プリンタ１に電源を供給する電源モジュールである。
【００１８】
本実施形態のプリンタは、ユーザインターフェースのとして、図２のような複数の操作部材および、ＬＣＤ表示部を有している。
【００１９】
２０１は電源釦で、プリンタ本体の電源をＯＮ、ＯＦＦするための釦でる。
【００２０】
２０２はＥＤＩＴ釦で、表示部に表示される画像へのトリミング枠の設定等の指示を行うための操作釦である。
【００２１】
２０３はＤＩＳＰ釦で、
２０４は、画像にフレーム枠の付加やカレンダーの作成といった特殊なプリントの設定を開始するためのＣＲＥＡＴＩＶＥ釦である。
【００２２】
２０５はＭＥＮＵ釦で、プリンタ本体の設定のための本体設定画面や印刷条件の設定を行う印刷設定画面の呼び出しに用いられる。
【００２３】
２０６はＬＣＤ表示部で、メモリカード２似記録されている画像を表示したり、プリンタ本体の設定画面、印刷条件の設定画面を表示したりする。
【００２４】
２０７はＴＥＬＥ釦、２０８はＷＩＤＥ釦で、ＬＣＤ表示部２０６に表示されている画像の拡大や縮小の指示を行うための釦である。また、シングル表示、マルチ表示の切替えにもこの釦が用いられる。さらに、トリミング領域の設定の際には、トリミング領域の枠の拡大縮小の指示が可能である。
【００２５】
２０９はＰＲＩＮＴ釦で、プリント開始の指示を与えるために用いられる。
２１０はＳＥＴ釦で、各設定の決定するために用いる。
【００２６】
２１１〜２１４は、十字キーで、２１１は右、２１２は下、２１３は左、２１４は上に対応している。設定画面における項目の選択のためのカーソル移動や、印刷枚数の設定、表示画像送り、戻しの指示等に用いられる。
【００２７】
プリンタ１は、電源釦２０１が押下により電源投入され起動処理が終わると、プリンタに装着されたメモリカード２に記録されている画像がメモリカードインターフェース１８により読み出され、表示モジュール１７によりＬＣＤ表示部２０６に表示される。起動処理が終わりＬＣＤ表示部２０６に画像が表示された後、ＰＲＩＮＴ釦を押すことにより、ＬＣＤ表示部２０６表示されている画像をすぐに印刷することができる。ＰＲＩＮＴ釦が押下されると、ＬＣＤ表示部２０６に表示されている画像がもう一度メモリカード２から読み出される。また、ＲＯＭに記録されている印刷条件設定を読み出し、読み出された画像データを印刷条件設定に合わせて印刷用のデータに変換する。変換された印刷データに基づいてプリントモジュール１６により画像の印刷が実行される。このようにして設定された印刷条件に基づき、選択された画像の印刷が行われる。
【００２８】
ＬＣＤ表示部２０６に表示される画像は十字キーの左右釦（２１１，２１３）を操作することで切り替えることができる。十字キーの左右釦が押されると、メモリカードインターフェース１８が次の画像（前の画像）を読み出し、読み出した画像を表示モジュール１７がＬＣＤ表示部２０６に表示する。
【００２９】
ユーザが印刷したい画像をＬＣＤに表示させ、その後ＰＲＩＮＴ釦を１回押すだけで、画像の印刷が開始される。このように本実施形態のプリンタは、簡単な操作で印刷を開始することができる。
【００３０】
１つの画像に対して複数枚印刷したい場合は、所望の画像を表示した状態で上下釦（２１２、２１４）を操作することにより印刷枚数を設定することが可能である。印刷枚数が設定されていない状態でＰＲＩＮＴ釦が操作された場合は、表示されている画像が１枚印刷される。
【００３１】
また、複数の画像について予め印刷設定をしておき、１回のＰＲＩＮＴ釦の押下で印刷設定されている複数の画像の印刷を連続して実行することも可能である。
【００３２】
本実施形態のプリンタでは、ＰＲＩＮＴ釦が押下されるとすぐに印刷動作が開始されるため、印刷レイアウトや画像補正、情報印刷等の印刷条件の設定は、予め設定しておく必要がある。なお、印刷条件の設定は、印刷待機中はいつでも変更を行うことが可能である。
【００３３】
電源投入後、印刷設定を行わずにＰＲＩＮＴ釦が押下された場合は、ユーザが印刷設定を確認する機会がなく、ユーザが意図しない印刷設定で画像の印刷が行われてしまう可能性がある。
【００３４】
そこで、本実施形態のプリンタは、印刷対象の画像を選択している間に、画像と共に現在プリンタで設定されている印刷設定をＬＣＤに表示することが可能である。
【００３５】
メモリカードに記録されている画像をＬＣＤ表示部２０６に表示する際の表示形態について図５〜図１０を用いて説明する。
【００３６】
図５はシングル表示・情報表示無しの表示形態の一例である。図６はシングル表示・画像情報表示の表示形態の一例である。図７はシングル表示・印刷設定情報表示の表示形態の一例である。図８はマルチ表示・情報表示無しの表示形態の一例である。図９はマルチ表示・画像情報表示の表示形態の一例である。図１０はマルチ表示・印刷設定情報表示の表示形態の一例である。なお、図５〜図１０に表示されるもののうち、同じものについては同じ符号を付２０２して説明する。
【００３７】
シングル表示は、ＬＣＤ表示部２０６に１つの画像を表示させる表示形態で、マルチ表示は、複数枚の画像を同時に表示させる表示形態である。図５，６，７はシングル表示、図８，９，１０はマルチ表示である。このシングル表示とマルチ表示は、ＴＥＬＥ釦、ＷＩＤＥ釦を操作することにより切り替えることができる。シングル表示中にＷＩＤＥ釦を押すとマルチ表示に、マルチ表示中にＴＥＬＥ釦を押すとシングル表示に切り替わる。
【００３８】
また、プリンタ１は画像と共に、各種情報を表示することができる。この情報表示は、画像の属性に関する情報（画像情報）の表示、印刷条件設定に関する情報（印刷設定情報）の表示が可能であり、また、情報表示を行わないことも可能である。
【００３９】
画像情報の表示においては、現在ＬＣＤ表示部２０６に表示されている画像、マルチ表示の場合は表示されている画像のうち選択されている画像の属性情報が表示される。印刷設定情報の表示においては、印刷設定画面でユーザにより設定された印刷設定を表示することが可能である。
【００４０】
これらの、情報表示（情報表示無し、画像情報表示、印刷設定情報表示）は、ＤＩＳＰ釦２０３を操作することにより切り替えることができる。
【００４１】
それぞれの情報表示画面について詳しく説明する。
【００４２】
図５のシングル表示・情報表示なしの表示画面では、操作ガイダンスのためのアイコン（５０１、５０２）と印刷枚数に関する情報が表示される。
【００４３】
５０１、５０２は操作ガイダンスアイコンで、５０１は、ＥＤＩＴ釦を押すことによりトリミング設定に移ることが可能であることを示している。また、５０２はＰＲＩＮＴ釦を押すことにより、印刷が実行されることを示している。５０３には現在表示されている画像（マルチ表示の場合は選択されている画像）の印刷枚数が表示される。この印刷枚数は、上下釦（２１２，２１４）を操作することにより変更できる。５０４は、印刷設定された画像の枚数を示す印刷総画像枚数が表示される。これは、印刷レイアウトに関係せず、画像に対して設定された印刷枚数の合計が表示される。
【００４４】
これらの５０１〜５０４はシングル表示画面においては常に表示されている。
【００４５】
図８のマルチ表示・情報表示無しの表示画面においても、５０１〜５０４は表示される。しかし、印刷枚数の表示については、表示される複数の画像それぞれに対して印刷枚数が８０２のように表示される（印刷枚数が設定されていない、または、印刷枚数が０の画像に対しては、図８のように印刷枚数を表示させなくても良い）。表示される複数の画像のうち、現在選択されている画像については図５の５０３と同様の印刷枚数表示を行い、上下釦による印刷枚数の変更は、この画像の印刷枚数に対して行われる。また、８０１はトリミング設定がされているものを示すトリミングアイコンであり、トリミング設定がされている画像に重ねて表示される。これらの５０１〜５０４、８０１、８０２は、情報表示に関係なく、マルチ表示においても常に表示される（８０２はトリミング設定が有る場合のみ表示される）。
【００４６】
図６、図９は画像情報表示の表示画面であり、シングル表示・マルチ表示に関係なく同じ情報が表示される。
６０１は画像情報表示領域で、この領域内に６０２〜６０７の各種情報が表示される。
６０２は、メモリカードの種類を示すアイコンで、現在プリンタ１に装着されているメモリカードに対応したアイコンが表示される。６０３は現在プリンタ１に装着されているメモリカードに記録されている画像の総数と、現在表示（選択）されている画像の位置が、＜現在の画像位置／総画像枚数＞の形式で表示される。６０４は、表示（または、選択）されている画像の画像番号である。６０５は、表示（または、選択）されている画像の撮影日時情報である。６０６は、表示（または、選択）されている画像の画像サイズである。表示（または、選択）されている画像が静止画である場合は画像サイズ、動画の場合は撮影時間が表示される。６０７は用紙サイズを示すアイコンで、プリンタに装着されている用紙またはインクシートのサイズを検出し、印刷サイズに対応したアイコンが表示される。
【００４７】
図７、図１０は印刷設定表示の表示画面である。
印刷設定表示では、印刷設定画面でユーザが設定した印刷条件を表示する。設定された印刷条件はＲＯＭに記録されており、ＲＯＭから設定されている印刷条件を読み出し、印刷条件設定合致したアイコンを表示させる。
７０１は印刷設定表示領域で、印刷条件のアイコンはこの表示領域内に表示される。
プリンタ１では、印刷条件として、日付印刷のＯＮ／ＯＦＦ、画像番号印刷のＯＮ／ＯＦＦ、フチありフチなし印刷の設定、印刷レイアウトの設定、赤目補正のＯＮ／ＯＦＦ、色補正の設定が可能である。図７、１０は、日付印刷ＯＦＦ、画像番号印刷ＯＦＦ、フチ有り印刷、一面配置レイアウト（１ｕｐ）、赤目補正ＯＮ、くっきりカラーの色補正が印刷条件として設定されている場合の表示である。
７０２は、日付印刷ＯＦＦの印刷条件アイコンである。
７０３は、画像番号印刷ＯＦＦの印刷条件アイコンである。
７０４は、フチありの印刷条件アイコンである。
７０５は、一面配置の印刷条件アイコンである。
７０６は、赤目補正ＯＮの印刷条件アイコンである。
７０７は、くっきりカラー色補正の印刷条件アイコンである。
設定されている印刷条件に対応したこれら７０２〜７０７のアイコンが印刷設定表示領域７０１に表示される。
【００４８】
これらの印刷条件アイコンはシングル表示（図７）からマルチ表示（図１０）に切替えても同様に表示される。
【００４９】
アイコンのみでは印刷条件が分かりにくいため、シングル表示画面では、印刷条件アイコンとともに、アイコンが示す印刷条件を文字で表示している。
【００５０】
画像と共に印刷条件の表示を行うことにより、印刷設定画面を表示させなくでも、印刷対象の画像の選択中に、画像の選択を行いながら現在プリンタに設定されている印刷条件を確認することができる。
【００５１】
しかし、シングル表示の場合は、印刷条件のアイコンと文字を画像に重ねて表示したとしても、表示されている画像を確認することが可能である。しかし、マルチ表示の場合は、印刷条件のアイコンと文字を画像に重ねて表示してしまうと、複数の画像のうち幾つかの画像は、完全に印刷設定表示領域に覆われてしまい、画像の確認ができなくなってしまう。そのため、プリンタ１では、印刷設定表示画面において、シングル表示の場合は印刷条件のアイコンと文字を表示させ、マルチ表示の場合は図１０のように、印刷設定の文字を表示せずに印刷設定のアイコンのみを表示させている。こうすることにより、文字を表示させる場合に比べて印刷設定表示領域を大幅に小さくすることが可能となるので、印刷設定表示領域により画像が隠れてしまい、画像の確認ができなくなってしまうようなことがおこらない。
【００５２】
次に、印刷条件の設定方法について図８を参照して説明する。
【００５３】
図１１は本実施形態の印刷設定画面である。待機中にＭＥＮＵ釦を押し、プリンタの設定メニューの中に含まれる印刷の設定を選択することにより印刷設定画面を呼び出すことができる。
【００５４】
本実施形態の印刷設定画面では、日付印刷のＯＮ／ＯＦＦ、画像番号印刷のＯＮ／ＯＦＦ、フチありフチなし印刷の設定、印刷レイアウトの設定、赤目補正のＯＮ／ＯＦＦ、色補正の設定が可能である。図１１では、画像番号印刷ＯＮ／ＯＦＦの印刷条件の設定の項目にカーソルが当たっている。このカーソルは上下釦（２１２，２１４）を操作することにより他の印刷条件の設定項目に移動させることができる。カーソルが当たっている印刷条件の設定項目については、左右釦（２１１，２１３）を操作することにより、印刷条件を変更することができる。全ての印刷条件の設定が完了したら、ＳＥＴ釦２１０を押すことにより、変更した印刷条件で印刷条件の設定が確定される。プリンタ１は、ＳＥＴ釦２１０押されると、この印刷条件の設定をプリンタ１の印刷条件設定としてＲＯＭ１３に記録する。印刷条件設定はＲＯＭに記録するため、電源がＯＮ／ＯＦＦされても、前回設定した印刷条件設定を保存しておくことが可能である。このようにして，印刷条件の設定が行われる。
【００５５】
図３は、プリンタ１の画像表示画面の遷移を示す図である。
【００５６】
プリンタ１起動後は図５ように、シングル表示・情報表示無し表示５００で表示される。シングル表示・情報表示無し表示５００の状態で、ＤＩＳＰ釦２０３が押されると、ユーザインターフェースモジュール１４が操作釦への操作を検出し、図６のようにシングル表示・画像情報表示６００の表示形態になる。シングル表示・情報表示無し表示５００の表示形態の間に、ＤＩＳＰではなくＷＩＤＥ釦２０８が操作されたら、マルチ表示・情報表示無し表示８００に切り替わる。
【００５７】
シングル表示・画像情報表示６００の状態で、ＤＩＳＰ釦２０３が押されると、図７のようにシングル表示・印刷設定情報表示７００に切り替わる。シングル表示・画像情報表示６００の表示形態の間に、ＤＩＳＰ釦２０３ではなくＷＩＤＥ釦２０８が操作されたら、マルチ表示・画像情報表示９００に切り替わる。
【００５８】
シングル表示・印刷設定情報表示７００の状態で、ＤＩＳＰ釦２０３が押されると、シングル表示・情報表示無し表示５００に切り替わる。シングル表示・印刷設定情報表示７００の表示形態の間に、ＤＩＳＰ釦２０３ではなくＷＩＤＥ釦２０８が操作されたら、マルチ表示・印刷設定情報表示１０００に切り替わる。シングル表示・印刷設定情報表示７００からマルチ表示・印刷設定情報表示１０００に切り替わることにより、印刷条件の文字表示は消去される。
【００５９】
マルチ表示・情報表示無し表示８００の状態で、ＤＩＳＰ釦２０３が押されると、マルチ表示・画像情報表示９００に切り替わる。マルチ表示・情報表示無し表示８００の表示形態の間に、ＤＩＳＰ釦２０３ではなくＴＥＬＥ釦２０７が操作されたら、シングル表示・情報表示無し表示５００に切り替わる。
【００６０】
マルチ表示・画像情報表示９００の状態で、ＤＩＳＰ釦２０３が押されると、マルチ表示・印刷設定情報表示１０００に切り替わる。マルチ表示・画像情報表示９００の表示形態の間に、ＤＩＳＰ釦２０３ではなくＴＥＬＥ釦２０７が操作されたら、シングル表示・画像情報表示６００に切り替わる。
【００６１】
マルチ表示・印刷設定情報表示１０００の状態で、ＤＩＳＰ釦２０３が押されると、マルチ表示・情報表示無し表示８００に切り替わる。マルチ表示・印刷設定情報表示１０００の表示形態の間に、ＤＩＳＰ釦２０３ではなくＴＥＬＥ釦２０７が操作されたら、シングル表示・印刷設定情報表示７００に切り替わる。マルチ表示・印刷設定情報表示１０００からシングル表示・印刷設定情報表示７００に切り替わることにより、印刷条件の文字表示が追加表示される。
【００６２】
このように画像表示中に、各操作釦への操作を検出する。操作された釦と現在の表示形態に応じて、表示形態を切替える。
【００６３】
次に図４を参照してプリンタ１における印刷設定情報表示処理について詳しく説明する。これらの処理はＣＰＵ１１がＲＯＭ１３から読み出したプログラムに基づいて、ＣＰＵの制御の下に実行される。
【００６４】
印刷設定情報表示（図７、図１０の表示）の場合は、この印刷設定情報表示処理が実行される。まず、ステップ４０１において、プリンタ１の現在の印刷条件設定をＲＯＭ１３から読み出す。この印刷条件設定は印刷設定画面で設定されたものである。次に、ステップ４０１で読み出した印刷条件に対応するアイコンを取得する。アイコンのデータはＲＯＭ１３に記録されているため、ＲＯＭ１３から取得する。次に、ステップ４０３で、これから生成する表示画面がシングル表示であるか、マルチ表示であるかを判定する。
【００６５】
ステップ４０３でシングル表示と判定されたら、ステップ４０４において、ステップ４０１で読み出した印刷条件に対応する文字データを取得する。その後、ステップ４０５において、ステップ４０２、４０４で取得したアイコンデータ及び文字データを用いて印刷条件表示領域の表示データを生成する。
【００６６】
一方、ステップ４０３でマルチ表示と判定されたら、ステップ４０６において、ステップ４０５において、ステップ４０２で取得したアイコンデータを用いて印刷条件表示領域の表示データを生成する。
【００６７】
印刷条件表示領域の表示データを生成したら、ステップ４０７において、ＬＣＤに表示する画像の画像データをメモリカード２から読み出す。マルチ表示の場合は表示する分の複数の画像データを読み出す。そして、ステップ４０７で取得した画像とステップ４０５または４０６で生成した印刷設定情報表示領域をＬＣＤ表示部２０６に表示する。
【００６８】
このように、本実施形態のプリンタは、画像表示中にユーザが設定した印刷条件の表示が可能である。画像選択後に印刷設定を確認する機会がないプリンタにおいては、画像選択中に印刷条件設定の確認も同時に行えるため、ユーザビリティーが向上する。
【００６９】
また、シングル表示の場合は、印刷条件のアイコンと文字を画像に重ねて、印刷条件設定が一目で確認できるようにしている。それに対し、マルチ表示の場合は、印刷条件設定に対応する文字は表示せずにアイコンのみを表示させ、文字の表示で画像が隠れてしまわないようにしてさらなるユーザビリティーの向上を図っている。
【００７０】
［第２の実施形態］
第２の実施形態のプリンタについて図１２を参照して説明する。第２の実施形態のプリンタは第１の実施形態のプリンタと構成および動作・処理がほとんど同じであるため、異なる部分のみを説明する。第２の実施形態のプリンタは、マルチ表示・印刷設定情報表示時の表示形態が第１の実施形態と少し異なっている。
【００７１】
図１２は、第２の実施形態のシングル表示・印刷設定情報表示７００、マルチ表示・印刷設定情報表示１２００の表示画面を示す図である。第１の実施形態と同様に、ＤＩＳＰ釦、ＴＥＬＥ釦、ＷＩＤＥ釦を操作することにより他の表示形態に切替えることができる。シングル表示・印刷設定情報表示７００については第一の実施形態と同じであるため、説明を省略する。１２００は、シングル表示・印刷設定情報表示７００からＷＩＤＥ釦を操作して表示形態が切替えれたときのマルチ表示・印刷設定情報表示の表示画面を示している。
【００７２】
１２０１は印刷設定表示領域である。印刷条件の設定は、基本的にはこの表示領域に表示される。しかし、本実施形態は、複数の画像に対して異なる印刷条件を設定できる。そのため、マルチ表示時は、印刷設定表示領域には全ての画像に共通する印刷条件のアイコンを表示し、画像毎に設定可能な印刷条件のアイコン（１２０２〜１２０９）は、印刷条件が設定されている画像に重ねてそれぞれ表示する。本実施形態のプリンタにおいては、赤目補正のＯＮ／ＯＦＦと色補正の設定とが、画像毎に設定を変更できる。そのため、赤目補正の印刷条件アイコン（１２０２，１２０４，１２０６，１２０８と色補正の印刷条件アイコン（１２０３，１２０５，１２０７，１２０９）はそれぞれ設定対象の画像の上に重なって表示されている。それ以外の、画像毎に設定ができない、日付印刷のＯＮ／ＯＦＦ、画像番号印刷のＯＮ／ＯＦＦ、フチありフチなし印刷の設定、印刷レイアウトの設定の印刷条件アイコンは印刷設定表示領域１２０１にそれぞれの印刷条件項目に対し１つだけ表示されている。このような表示を行うことにより、画像毎に設定されている印刷条件と全ての画像に共通して設定されている印刷条件を、画像を表示しながら確認することができる。
【００７３】
１２０２、１２０４は赤目補正ＯＦＦを示すアイコン、１２０６，１２０８は赤目補正ＯＮを示すアイコンである。
【００７４】
１２０３はくっきりカラーの色変換を示すアイコン、１２０５はセピアカラーへの色変換を示すアイコン、１２０７は色補正ＯＦＦを示すアイコン、１２０９はすっきりカラーの色変換を示すアイコンである。
【００７５】
本実施形態では全てのアイコンを表示させたが、赤目補正ＯＦＦ、色補正ＯＦＦのアイコンは表示させないようにしても良い。アイコンの表示が少ないほうが画像を確認しやすくなる。
【００７６】
また、本実施形態では、印刷設定表示領域１２０１に表示するアイコンと画像に重ねて表示させるアイコンを、画像毎に設定が可能な印刷条件であるかで判断した。しかし、例えば、全ての画像、又は、現在表示されている画像に設定されている印刷条件のうち、共通するものを印刷設定表示領域１２０１に表示させ、共通していないものを画像に重ねて表示させてもよい。また、本実施形態では、画像毎に設定可能な印刷条件のアイコンを画像に重ねて表示させたが、設定対象の画像の右隣り等に表示させても良い。つまり、どの画像にどの印刷条件が設定されているのかが確認できれば良い。
【００７７】
［その他の実施形態］
以上、本発明をその好適な実施形態に基づいて詳述してきたが、本発明はこれら特定の実施形態に限られるものではなく、この発明の要旨を逸脱しない範囲の様々な形態も本発明に含まれる。
【００７８】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００７９】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００８０】
その場合、プログラムの機能を有していれば、オブジェクトコード、インタプリタにより実行されるプログラム、ＯＳに供給するスクリプトデータ等、プログラムの形態を問わない。
【００８１】
プログラムを供給するための記録媒体としては、例えば、フレキシブルディスク、ハードディスク、磁気テープ等の磁気記録媒体、ＭＯ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ等が考えられる。また、光／光磁気記憶媒体、不揮発性の半導体メモリでもよい。
【００８２】
有線／無線通信を用いたプログラムの供給方法としては、次のような方法が考えられる。すなわち、コンピュータネットワーク上のサーバに本発明を形成するコンピュータプログラムそのもの、もしくはプログラムデータファイルを記憶し、接続のあったクライアントコンピュータにプログラムデータファイルをダウンロードするような方法である。
【００８３】
ここで、プログラムデータファイルは、本発明を形成するコンピュータプログラムを圧縮され自動インストール機能を含むファイル等も含む。
【００８４】
この場合、プログラムデータファイルを複数のセグメントファイルに分割し、セグメントファイルを異なるサーバに配置することも可能である。
【図面の簡単な説明】
【００８５】
【図１】本発明の実施形態に係るプリンタのブロック図である。
【図２】本発明の実施形態に係るプリンタのユーザインターフェースの詳細図である。
【図３】本発明の実施形態に係るプリンタのＬＣＤ表示部の情報表示の遷移を示す図である。
【図４】本発明の実施形態に係るプリンタの印刷設定情報表示処理を示すフローチャートである。
【図５】シングル表示・情報表示無しの場合の表示形態の一例である。
【図６】シングル表示・画像情報表示の場合の表示形態の一例である。
【図７】シングル表示・印刷設定情報表示の場合の表示形態の一例である。
【図８】マルチ表示・情報表示無しの場合の表示形態の一例である。
【図９】マルチ表示・画像情報表示の場合の表示形態の一例である。
【図１０】マルチ表示・画像情報表示の場合の表示形態の一例である。
【図１１】印刷設定画面の一例である。
【図１２】印刷設定情報表示の場合の表示形態の一例である。
【符号の説明】
【００８６】
１  プリンタ
２  メモリカード
３  デジタルカメラ
４  ユーザインターフェース
１１  ＣＰＵ
１２  ＲＡＭ
１３  ＲＯＭ
１４  ユーザインターフェースモジュール
１５  Ｉ／Ｏポート部
１６  プリントモジュール
１７  表示モジュール
１８  メモリカードインターフェース
１９  電源モジュール
２０１  電源釦
２０２  ＥＤＩＴ釦
２０３  ＤＩＳＰ釦
２０４  ＣＲＥＡＴＩＶＥ釦
２０５  ＭＥＮＵ釦
２０６  ＬＣＤ表示部
２０７  ＴＥＬＥ釦
２０８  ＷＩＤＥ釦
２０９  ＰＲＩＮＴ釦
２１０  ＳＥＴ釦
２１１  右釦
２１２  下釦
２１３  左釦
２１４  上釦
【図１】
0004940078.tif 000002
【図２】
0004940078.tif 000003
【図３】
0004940078.tif 000004
【図４】
0004940078.tif 000005
【図５】
0004940078.tif 000006
【図６】
0004940078.tif 000007
【図７】
0004940078.tif 000008
【図８】
0004940078.tif 000009
【図９】
0004940078.tif 000010
【図１０】
0004940078.tif 000011
【図１１】
0004940078.tif 000012
【図１２】
0004940078.tif 000013